(57)【要約】【課題】防音パネルの積み重ねに際して、縁部を容易に揃えることができる。【解決手段】  上部の防音パネルＰｕを下降させると、例えば防音パネルＰｕの左側のパネル保持枠５の湾曲面５ｂが、下部の防音パネルＰｄの左側の張出枠９の湾曲面９ａに当接する。この当接部は共に湾曲面による案内部として機能し、防音パネルＰｕは右方に横ずれして重なり合う。更に、防音パネルＰｕを下降させると、右方の傾斜面５ａが、防音パネルＰｄの傾斜面４ａに当接し、枠体１０同士の外枠８が若干ずれた状態となる。  防音パネルＰｕの荷重を加えてゆくと、右側の傾斜面５ａと傾斜面４ａとの接触により、傾斜面５ａ、４ａ間に滑りが生じて、防音パネルＰｕが右下方に滑動して、左右の外方連結枠７と張出枠９間、及び左側の傾斜面５ａと傾斜面４ａ間も当接することになる。この状態で滑動は終わり、上下の外枠８が揃えられる。【選択図】図５
2020070630.tif 000002
【特許請求の範囲】
【請求項１】
矩形状のパネル板の辺部を保持する金属製のパネル板保持用枠体であって、
断面において、上下方向に幅を持つ中央枠と、上下方向に幅を持つ内枠と、上下方向に幅を持つ外枠と、前記中央枠と前記内枠との間に設け、水平方向に沿う内方連結枠と、前記中央枠の下部に内側に向けて直交して配置したパネル保持枠と、前記中央枠から前記外枠の間に前記中央枠から外側に向けて直交して設けた外方連結枠と、前記外枠の上端部に設け、内方を向く張出枠とを備えており、
前記内方連結枠と前記パネル保持枠との間を前記パネル板を保持するパネル溝とし、前記内枠の頂部に角度θの傾斜面を形成し、前記パネル保持枠の前記パネル溝と反対側の下面に同方向の角度θの傾斜面を形成したことを特徴とするパネル板保持用枠体。
【請求項２】
前記内枠の上部の傾斜面から前記内枠内を通る直線の下方が前記パネル保持枠の傾斜面に至る距離と、前記張出枠の上面から前記外方連結枠の下面に至る距離とを同じとしたことを特徴とする請求項１に記載のパネル板保持用枠体。
【請求項３】
前記張出枠の幅は前記外方連結枠の幅よりも小さいか、等しくしたことを特徴とする請求項１又は２に記載のパネル板保持用枠体。
【請求項４】
前記内枠、前記外枠、前記内方連結枠、前記外方連結枠は板体状としたことを特徴とする請求項１〜３の何れか１項に記載のパネル板保持用枠体。
【発明の詳細な説明】
【技術分野】
【０００１】
本発明は、矩形状のパネル板を保持するためのパネル板保持用枠体に関するものである。
【背景技術】
【０００２】
作業現場等において、作業によって発生する作業音を遮断することを目的として、複数の矩形状の防音パネルを組み合わせて、臨時の遮蔽壁を作ることが行われている。
【０００３】
例えば、建築物の建造、補修、解体その他の作業現場において、内部を外から見えないように隠したり、発生音、埃、塵、飛散物が外に漏れることを防音パネルにより防止することがある。このために、枠体でパネル板を保持した防音パネルの枠体同士を組み合わせて、作業現場を囲って遮蔽壁とし、その作業が終ると共に、遮蔽壁を取り外すことが行われている。
【０００４】
このように、作業現場を囲うために用いられる大量の防音パネルは、遮蔽壁として実際に用いられるまでの間、又は使用後に、積み重ねられた状態で保管されたり、運搬されたりする。その際に、積み重ねられた枠体の縁部が揃っていないと、積み重ね状態が安定せず、ときには崩れてしまう虞れがある。
【０００５】
そこで、積み重ねた防音パネルを安定させることができる枠体として、例えば特許文献１に開示されている。この従来の枠体は、正面内側に設けられた段部と、背面内側に設けられた屈曲部とを備え、枠体を積み重ねると段部と屈曲部とが当接した状態で積み重ねることができる。
【先行技術文献】
【特許文献】
【０００６】
【特許文献１】特開２００７−２１７８６６号公報
【発明の概要】
【発明が解決しようとする課題】
【０００７】
しかし、この従来の防音パネルは積み重ねた際に、上下方向には安定するが、横方向に多少の遊びが存在する。そして、この遊びの分、横ずれした状態で積み重ねてしまうと、大きな衝撃等で防音パネルが崩れてしまう虞れがある。従って、作業者は縁部を揃えるために防音パネルを慎重に時間をかけて積み重ねる必要がある。
【０００８】
本発明の目的は、積み重ねが容易であると共に、積み重ねに際して防音パネルの縁部を容易に揃えることができるパネル板保持用枠体を提供することにある。
【課題を解決するための手段】
【０００９】
上述の課題を解決するための本発明に係るパネル板保持用枠体は、矩形状のパネル板の辺部を保持する金属製のパネル板保持用枠体であって、断面において、上下方向に幅を持つ中央枠と、上下方向に幅を持つ内枠と、上下方向に幅を持つ外枠と、前記中央枠と前記内枠との間に設け、水平方向に沿う内方連結枠と、前記中央枠の下部に内側に向けて直交して配置したパネル保持枠と、前記中央枠から前記外枠の間に前記中央枠から外側に向けて直交して設けた外方連結枠と、前記外枠の上端部に設け、内方を向く張出枠とを備えており、前記内方連結枠と前記パネル保持枠との間を前記パネル板を保持するパネル溝とし、前記内枠の頂部に角度θの傾斜面を形成し、前記パネル保持枠の前記パネル溝と反対側の下面に同方向の角度θの傾斜面を形成したことを特徴とする。
【発明の効果】
【００１０】
本発明に係るパネル板保持用枠体は、積み重ねに際して、縁部を容易に揃えることができ、積み重ね後に横ずれが発生しないので、積み重ねた防音パネルが崩れたりすることがない。
【図面の簡単な説明】
【００１１】
【図１】防音パネルの斜視図である。
【図２】枠体の一部を切断した状態の斜視図である。
【図３】防音パネルを積み重ねた状態の断面図である。
【図４】防音パネルを積み重ねる過程の説明図である。
【図５】防音パネルを積み重ねる過程の説明図である。
【図６】防音パネルを積み重ねる過程の説明図である。
【発明を実施するための形態】
【００１２】
本発明を図示の実施例に基づいて詳細に説明する。
図１はそれぞれ所要の長さに切断した断面が同形の４個の枠体１０を、パネル板１１の四辺に取り付けた状態の防音パネルＰの斜視図であり、細部の図示は省略している。
【００１３】
防音パネルＰの大きさは、例えば概略１８０ｃｍ×９０ｃｍとされている。パネル板１１には、例えば厚さ５ｍｍのポリカーボネートが使われているが、他の材料であってもよく、通気のために多数の通孔が設けられていてもよい。
【００１４】
図１の防音パネルＰにおいて、パネル板１１の四辺は、それぞれ枠体１０の後述するパネル溝に嵌合され、枠体１０はパネル板１１を額縁状に取り囲んでいる。防音パネルＰの角部における枠体１０同士の接合部においては、枠体１０は例えば４５度に切断されて突き合わされ、枠体１０同士は溶接や図示しないナット等により連結されている。
【００１５】
なお、枠体１０は軽量化や補強化のために、任意の処理を施したり、部位を修正したり、部位を付け加えることができる。
【００１６】
図２は実施例の枠体１０の一部を切断した状態の斜視図である。枠体１０は例えばアルミニウム等の金属材を圧延して、又は部分的に圧延された複数の部材を接合して形成され、断面に対し直交方向に延在された長尺材とされている。なお、明細書では説明の都合上、図面において枠体１０のパネル板１１に平行な方向を左右方向、パネル板１１を保持する側を下方向、枠体１０に手を掛ける部分側を上方向として説明している。
【００１７】
図２に示す枠体１０の断面において、上下方向に幅を有する板体状の中央枠１の上部から左方向である内側に、左右方向に幅を有し平行な上部連結枠２、下部連結枠３から成り、水平方向に沿う内方連結枠が設けられ、これらの先端に上下方向に幅を有し、中央枠１と平行する内枠４が設けられている。また、中央枠１、上部連結枠２、下部連結枠３及び内枠４によって空洞を形成することで、軽量でかつ強度を有する構造とされている。
【００１８】
中央枠１の下部から左方向である内方向に、水平方向に幅を有するパネル保持枠５が延出され、下部連結枠３とパネル保持枠５との間は、パネル板を挿入して保持するためのパネル溝６とされている。
【００１９】
パネル保持枠５の下面は左方向である内方向に向うにつれて上昇する傾斜面５ａであり、その角度はθとされている。つまり、パネル保持枠５は先端に向うにつれて肉厚が薄くなる構造をしている。パネル保持枠５の下面右側の角部は、他の防音パネルを積み重ねる場合の案内用の円弧状の湾曲面５ｂとされている。
【００２０】
一方、内枠４の頂部は右方向である外方向に向うにつれて低くなる斜め方向の傾斜面４ａとされ、この傾斜面４ａの角度はθであり、パネル保持枠５の傾斜面５ａと平行とされている。
【００２１】
また、パネル溝６に面する下部連結枠３の下面には、パネル溝６に挿入されるパネル板１１を狭い間隙で確実に保持するための突起３ａが設けられている。この突起３ａはパネル溝６の開口側に傾斜面を有し、パネル板１１の挿入を容易としている。
【００２２】
中央枠１の上部から、水平方向に幅を有する外方連結枠７が右方向である外方向に張り出され、外方連結枠７の先端には、上方に向けて上下方向に幅を有する外枠８が設けられている。そして、外枠８の上端には、左方向である内方向に向けてＬ字状に、例えば運搬時に手を掛ける張出枠９が張り出されて、張出枠９の先端上部は案内用として湾曲面９ａとされている。なお、中央枠１は必ずしも板体状ではなく、ブロック状であっても支障はない。
【００２３】
そして、内枠４の傾斜面４ａから下方への垂線Ｓに沿って、パネル保持枠５の傾斜面５ａに達する距離ｄ１は、張出枠９の上面と外方連結枠７の下面との距離ｄ２とほぼ等しくされている。張出枠９の距離ｄ３は外方連結枠７の距離ｄ４よりも小さいか等しくされている。
【００２４】
図３は防音パネルＰを積み重ねた状態の断面図である。この積み重ねた状態において、上部の防音パネルＰｕの荷重は、四辺の枠体１０において、上部の防音パネルＰｕの外方連結枠７の下面及びパネル保持枠５の傾斜面５ａから、下部の防音パネルＰｄの張出枠９の上面及び内枠４の傾斜面４ａに加えられる。
【００２５】
これらの傾斜面５ａ、４ａ同士の接触により、上部の防音パネルＰｕが左右、及び紙面と直交する前後方向の枠体１０の外枠８を左右方向、前後方向で揃えられた状態の積み重ねが可能となる。
【００２６】
図４〜図６は防音パネルＰを積み重ねる過程の説明図であり、図４において、上部の防音パネルＰｕの張出枠９の内縁を持って水平状態を保ちながら、矢印方向の下部の防音パネルＰｄ上に積み重ねてゆく。この積み重ねの初めにおいて、必ずしも図３に示すように防音パネルＰの縁部が揃って整然と重ねられるわけではない。
【００２７】
例えば図５に示すように、上部の防音パネルＰｕの左側のパネル保持枠５の湾曲面５ｂが、下部の防音パネルＰｄの左側の張出枠９の湾曲面９ａに当接するような場合が多い。この当接部においては共に湾曲面であるので、案内部として機能し滑動し易く、上部の防音パネルＰｕは右方に横ずれして、図５に示すように重なり合う。
【００２８】
更に、上部の防音パネルＰｕを水平状体を保ちながらそのまま下降させると、図６に示すように右方の枠体１０のパネル保持枠５の傾斜面５ａが、下部の防音パネルＰｄの内枠４の傾斜面４ａに当接し、枠体１０同士の外枠８が若干ずれた状態となる。
【００２９】
この状態においては、上部の防音パネルＰｕの両側の枠体１０の外方連結枠７の下面と、下部の防音パネルＰｄの張出枠９の上面間には隙間がある。更に、上部の防音パネルＰｕの左側のパネル保持枠５の傾斜面５ａと下部の防音パネルＰｄの左側の内枠４の傾斜面４ａ間にも隙間がある。しかし、上部の防音パネルＰｕの右側のパネル保持枠５の傾斜面５ａと下部の防音パネルＰｄの右側の内枠４の傾斜面４ａ間は当接している。
【００３０】
この状態で、上部の防音パネルＰｕの荷重を下部の防音パネルＰｄに加えてゆくと、右側のパネル保持枠５の傾斜面５ａと内枠４の傾斜面４ａとの接触により、傾斜面５ａ、４ａ間に滑りが生ずる。つまり、上部の防音パネルＰｕが右下方に滑動して、それまで離れていた左右の外方連結枠７と張出枠９間、及び左側のパネル保持枠５の傾斜面５ａと内枠４の傾斜面４ａ間も当接することになる。
【００３１】
内枠４の傾斜面４ａとパネル保持枠５の傾斜面５ａの距離ｄ１と、張出枠９の上面と外方連結枠７の幅である距離ｄ２は等しいことから、図３に示す状態となって滑動は終わる。また、下方の枠体１０の張出枠９の幅である距離ｄ３は、上側の枠体１０の外方連結枠７の幅である距離ｄ４よりも小さいか等しく、上側の外枠８が下側の外枠８よりも外側に飛び出すことはない。
【００３２】
従って、図３に示すように、上下の枠体１０の縁部において、横ずれのない、つまり外枠８同士のずれがない積み重ね状態が得られることになる。なお、図４〜図６に示す積み重ね作業は、上下反転して行っても同じ動作となり、作業状況に応じて、任意の積み重ね順を採用することができる。
【００３３】
この防音パネルＰ同士を連結して遮蔽壁を形成するには、防音パネルＰを立ち上げ、隣接する防音パネルＰの枠体１０の外枠８同士を背中合わせにして接合する。この接合は例えばクランプ等の連結治具を用いて外枠８同士を連接したり、外枠８に設けたボルト孔にボルトを挿通してナットにより固定すればよい。
【００３４】
なお、実施例においては、パネル板１１の四辺を枠体１０により囲むようにしたが、パネル板１１の対向する二辺にのみ枠体１０を取り付けてもよい。
【００３５】
また、パネル保持枠５の湾曲面５ｂ、張出枠９の湾曲面９ａは円弧状でなくとも、傾斜面であってもよい。
【符号の説明】
【００３６】
１  中央枠
２  上部連結枠
３  下部連結枠
４  内枠
４ａ、５ａ  傾斜面
５  パネル保持枠
６  パネル溝
７  外方連結枠
８  外枠
９  張出枠
１０  枠体
１１  パネル板
Ｐ  防音パネル
【図１】
2020070630.tif 000003
【図２】
2020070630.tif 000004
【図３】
2020070630.tif 000005
【図４】
2020070630.tif 000006
【図５】
2020070630.tif 000007
【図６】
2020070630.tif 000008